Podtech/llm-jp-corpus-v4-ja_patent huggingface dataset:
【手続補正書】
【提出日】平成16年4月1日(2004.4.1)
【手続補正１】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体
（Ｂ）チロシナーゼ活性阻害剤の１種又は２種以上
を含有することを特徴とする皮膚外用剤を提供するものである。本発明の好ましい実施態様としては、以下の特徴を有する。
（１）該リグナン配糖体が、下記の構造式（Ｉ）で示されるリグナン配糖体である。
【化５】
1998279462.tif 000001
（２）該リグナン配糖体が、下記の構造式（ＩＩ−ａ）、（ＩＩ−ｂ）もしくは（ＩＩ−ｃ）で示されるリグナン配糖体の１種または２種以上を主成分とするリグナン配糖体である。
【化６】
1998279462.tif 000002
【化７】
1998279462.tif 000003
【化８】
1998279462.tif 000004
（３）該リグナン配糖体が、ゴマ種子やその加湿物もしくは発芽体、またはそれらの粉砕物、またはそれらの脱脂物の含水低級アルコール抽出物である。
（４）該チロシナーゼ活性阻害剤が、アルブチン、ハイドロキノン及びその誘導体並びにその塩、アスコルビン酸及びその誘導体並びにその塩、システイン及びその誘導体並びにその塩、グラブリジン、グラブレン、リクイリチン、イソリクイリチン及びこれらを含有するカンゾウ抽出物、センプクカ抽出物、ケイケットウ抽出物、サンペンズ抽出物、ソウハクヒ抽出物、トウキ抽出物、イブキトラノオ抽出物、クララ抽出物、サンザシ抽出物、シラユリ抽出物、ホップ抽出物、ノイバラ抽出物及びヨクイニン抽出物、プラセンタエキスから選ばれる１種または２種以上である。
【手続補正２】
【補正対象書類名】明細書
【補正対象項目名】００１０
【補正方法】変更
【補正の内容】
【００１０】
すなわち、アスコルビン酸及びその誘導体並びにその塩（例えばリン酸−Ｌ−アスコルビルマグネシウム等）、システイン及びその誘導体（例えば、Ｎ，Ｎ’−ジアセチルシスチンジメチル等）並びにその塩、アルブチン、ハイドロキノン及びその誘導体並びにその塩、グラブリジン、グラブレン、リクイリチン、イソリクイリチン及びこれらを含有するカンゾウ抽出物、胎盤抽出物、アロエ抽出物、イブキトラノオ抽出物、カミツレ抽出物、クララ抽出物、ケイケットウ抽出物、サンザシ抽出物、サンペンズ抽出物、シラユリ抽出物、センプクカ抽出物、ソウハクヒ抽出物、トウキ抽出物、ノイバラ抽出物、ホップ抽出物、及びヨクイニン抽出物、プラセンタエキス等が挙げられ、このうち１種または２種以上を適宜選択すればよい。


【手続補正３】
【補正対象書類名】明細書
【補正対象項目名】００３１
【補正方法】変更
【補正の内容】
【００３１】
次いで、これにあらかじめ２５℃に保っておいた基質溶液［Ｌ−ＤＯＰＡ（東京化成製）１９８．０ｍｇを０．１Ｍリン酸緩衝液（ｐＨ６．８）１００ｍｌに溶解したもの］１．０ｍｌを加え、１０分間反応せしめた。反応後、４７５ｎｍにおける吸光度（ＯＤＳ）を測定した。同様に、加熱失活させた前記酵素を用いて反応させた時の吸光度（ＯＤＨＥ）及び試料無添加のときの吸光度（ＯＤＢ）を測定し、次式よりチロシナーゼ活性の活性阻害率を算出した。


【手続補正４】
【補正対象書類名】明細書
【補正対象項目名】００３７
【補正方法】変更
【補正の内容】
【００３７】
（製法）
Ａ．成分（１）〜（７）を混合し、加熱して７０℃に保つ。
Ｂ．成分（１１）と（１３）を混合し、加熱して７０℃に保つ。
Ｃ．ＡにＢを加え、混合した後、冷却する。
Ｄ．Ｃに（８）〜（１０）及び（１２）を加え、均一に混合してクリームを得た。
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
次の成分（Ａ）及び（Ｂ）
（Ａ）リグナン配糖体である下記の構造式（Ｉ）で示されるセサミノール配糖体
（Ｂ）活性酸素除去剤
を含有することを特徴とする組成物。
【化１】
1998279461.tif 000001
【請求項２】
前記セサミノール配糖体は、下記の構造式（ＩＩ−ａ）、（ＩＩ−ｂ）もしくは（ＩＩ−ｃ）で示されるセサミノール配糖体の１種または２種以上を主成分とすることを特徴とする請求項１記載の組成物。
【化２】
1998279461.tif 000002
【化３】
1998279461.tif 000003
【化４】
1998279461.tif 000004
【請求項３】
前記セサミノール配糖体は、ゴマ種子やその加湿物もしくは発芽体、またはそれらの粉砕物、またはそれらの脱脂物の含水低級アルコール抽出物である請求項１または２記載の組成物。
【請求項４】
前記活性酸素除去剤は、スーパーオキシドディスムターゼ（ＳＯＤ）、カタラーゼ、グルタチオンペルオキシダーゼ等の酵素類、マンニトール、ベーターカロチン等のカロテノイド類、ハイドロキノン、ビリルビン、トリプトファン、ヒスチジン、クエルセチン、クエルシトリン、カテキン及びその誘導体、没食子酸及びその誘導体、オウゴン抽出物及びイチョウ抽出物等のフラボノイドを成分中に含む植物抽出物、ユキノシタ抽出物、ゴカヒ抽出物、ヤシャジツ抽出物及びジコッピ抽出物から選ばれる１種または２種以上である請求項１、２、または３記載の組成物。
【手続補正２】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体である下記の構造式（Ｉ）で示されるセサミノール配糖体
（Ｂ）活性酸素除去剤
を含有することを特徴とする組成物を提供するものである。
【化５】
1998279461.tif 000005
本発明の好ましい実施態様としては、以下の特徴を有する。
（１）該セサミノール配糖体は、下記の構造式（ＩＩ−ａ）、（ＩＩ−ｂ）もしくは（ＩＩ−ｃ）で示されるセサミノール配糖体の１種または２種以上を主成分とする。
【化６】
1998279461.tif 000006
【化７】
1998279461.tif 000007
【化８】
1998279461.tif 000008
（２）該セサミノール配糖体は、ゴマ種子やその加湿物もしくは発芽体、またはそれらの粉砕物、またはそれらの脱脂物の含水低級アルコール抽出物である。
（３）該活性酸素除去剤が、スーパーオキシドディスムターゼ（ＳＯＤ）、カタラーゼ、グルタチオンペルオキシダーゼ等の酵素類、マンニトール、ベーターカロチン等のカロテノイド類、ハイドロキノン、ビリルビン、トリプトファン、ヒスチジン、クエルセチン、クエルシトリン、カテキン及びその誘導体、没食子酸及びその誘導体、オウゴン抽出物及びイチョウ抽出物等のフラボノイドを成分中に含む植物抽出物、ユキノシタ抽出物、ゴカヒ抽出物、ヤシャジツ抽出物及びジコッピ抽出物から選ばれる１種または２種以上である。
【手続補正３】
【補正対象書類名】明細書
【補正対象項目名】００１０
【補正方法】変更
【補正の内容】
【００１０】
スーパーオキシドディスムターゼ（以下ＳＯＤと略す）、カタラーゼ、グルタチオンペルオキシダーゼ等の酵素類、マンニトール、ベーターカロチン等のカロテノイド類、ハイドロキノン、ビリルビン、トリプトファン、ヒスチジン、クエルセチン、クエルシトリン、カテキン及びその誘導体、没食子酸及びその誘導体、オウゴン抽出物及びイチョウ抽出物等のフラボノイドを成分中に含む植物抽出物、ユキノシタ抽出物、ゴカヒ抽出物、ヤシャジツ抽出物及びジコッピ抽出物等が挙げられ、これらの１種又は２種以上を組み合わせて用いても良い。


【手続補正４】
【補正対象書類名】明細書
【補正対象項目名】００３２
【補正方法】変更
【補正の内容】
【００３２】
（測定方法）  ０．０５Ｍ  炭酸ナトリウム緩衝液（ｐＨ１０．２）２．４ｍｌに基質溶液［３．０ｍＭ  キサンチン（０．０５Ｍ  炭酸ナトリウム緩衝液に溶解）］０．１ｍｌ，３．０ｍＭ  ＥＤＴＡ  ０．１ｍｌ、０．１５％（ｗ／ｖ）ウシ血清アルブミン０．１ｍｌ、０．７５ｍＭ  ニトロブルーテトラゾリウム０．１ｍｌ及び各被験試料０．１ｍｌを混合し、２５℃で１０分間放置した。次いで、酵素溶液［キサンチンオキシダーゼ溶液（精製水にて約０．０４ｕｎｉｔｓ／ｍｌに希釈）］０．１ｍｌを加えて反応を開始し、２５℃で２０分間インキュベートした後、６ｍＭ  ＣａＣｌ２０．１ｍｌを加えて反応を停止する。次いで５６０ｎｍにおける吸光度（Ａ）を測定する。


【手続補正５】
【補正対象書類名】明細書
【補正対象項目名】００３３
【補正方法】変更
【補正の内容】
【００３３】
対照には被験試料のかわりに精製水を加えた試料の吸光度（Ｂ）、また各試料のブランクには、６ｍＭ  ＣａＣｌ２０．１ｍｌを加えて反応停止後に、キサンチンオキシダーゼ０．１ｍｌを添加した試料の吸光度（Ｃ）を測定し、次式より、スーパーオキサイド除去率を算出した。その結果を表１に示す。
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
次の成分（Ａ）及び（Ｂ）
（Ａ）リグナン配糖体である下記の構造式（Ｉ）で示されるセサミノール配糖体
（Ｂ）抗炎症剤から選ばれる１種又は２種以上
を含有することを特徴とする皮膚外用剤。
【化１】
1998279464.tif 000001
【請求項２】
前記セサミノール配糖体は、下記の構造式（ＩＩ−ａ）、（ＩＩ−ｂ）もしくは（ＩＩ−ｃ）で示されるセサミノール配糖体の１種または２種以上を主成分とすることを特徴とする請求項１記載の皮膚外用剤。
【化２】
1998279464.tif 000002
【化３】
1998279464.tif 000003
【化４】
1998279464.tif 000004
【請求項３】
前記セサミノール配糖体は、ゴマ種子やその加湿物もしくは発芽体、またはそれらの粉砕物、またはそれらの脱脂物の含水低級アルコール抽出物である請求項１または２記載の皮膚外用剤。
【請求項４】
前記抗炎症剤は、グリチルリチン酸、グリチルレチン酸、メフェナム酸、フェニルブタゾン、インドメタシン、イブプロフェン、ケトプロフェン、アラントイン、グアイアズレン、Ｄ−パンテノール及びそれらの誘導体並びにそれらの塩、ε−アミノカプロン酸、酸化亜鉛、ジクロフェナクナトリウム、アロエ抽出物、シコン抽出物、サルビア抽出物、ソウハクヒ抽出物、シソ抽出物、カワラヨモギ抽出物、オランダカラシ抽出物、ガマ抽出物、セイヨウニワトコ抽出物、ヒレハリソウ抽出物、アルニカ抽出物、オウバク抽出物、カミツレ抽出物、シラカバ抽出物、オトギリソウ抽出物、ユーカリ抽出物及びムクロジ抽出物から選ばれる１種または２種以上である請求項１、２、または３記載の皮膚外用剤。
【手続補正２】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体である下記の構造式（Ｉ）で示されるセサミノール配糖体
（Ｂ）抗炎症剤から選ばれる１種又は２種以上
を含有することを特徴とする皮膚外用剤を提供するものである。
【化５】
1998279464.tif 000005
本発明の好ましい実施態様としては、以下の特徴を有する。
（１）該セサミノール配糖体は、下記の構造式（ＩＩ−ａ）、（ＩＩ−ｂ）もしくは（ＩＩ−ｃ）で示されるセサミノール配糖体の１種または２種以上を主成分とする。
【化６】
1998279464.tif 000006
【化７】
1998279464.tif 000007
【化８】
1998279464.tif 000008
（２）該セサミノール配糖体は、ゴマ種子やその加湿物もしくは発芽体、またはそれらの粉砕物、またはそれらの脱脂物の含水低級アルコール抽出物である。
（３）該抗炎症剤は、グリチルリチン酸、グリチルレチン酸、メフェナム酸、フェニルブタゾン、インドメタシン、イブプロフェン、ケトプロフェン、アラントイン、グアイアズレン、Ｄ−パンテノール及びそれらの誘導体並びにそれらの塩、ε−アミノカプロン酸、酸化亜鉛、ジクロフェナクナトリウム、アロエ抽出物、シコン抽出物、サルビア抽出物、ソウハクヒ抽出物、シソ抽出物、カワラヨモギ抽出物、オランダカラシ抽出物、ガマ抽出物、セイヨウニワトコ抽出物、ヒレハリソウ抽出物、アルニカ抽出物、オウバク抽出物、カミツレ抽出物、シラカバ抽出物、オトギリソウ抽出物、ユーカリ抽出物及びムクロジ抽出物から選ばれる１種または２種以上である。
【手続補正３】
【補正対象書類名】明細書
【補正対象項目名】００３３
【補正方法】変更
【補正の内容】
【００３３】
表１の結果に示される如く、本発明品１に代表される高純度リグナン配糖体精製物とグリチルレチン酸を組合せた本発明の組成物および本発明品２に代表される高純度リグナン配糖体精製物とカミツレ抽出物を組合せた本発明の組成物は、これらを皮膚に適用することにより、紫外線による紅斑や色素沈着を効果的に抑制することがわかった。
【手続補正書】
【提出日】平成16年4月1日(2004.4.1)
【手続補正１】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体
（Ｂ）抗炎症剤から選ばれる１種又は２種以上
を含有することを特徴とする皮膚外用剤を提供するものである。本発明の好ましい実施態様としては、以下の特徴を有する。
（１）該リグナン配糖体が、下記の構造式（Ｉ）で示されるリグナン配糖体である。
【化５】
1998279468.tif 000001
（２）該リグナン配糖体が、下記の構造式（ＩＩ−ａ）、（ＩＩ−ｂ）もしくは（ＩＩ−ｃ）で示されるリグナン配糖体の１種または２種以上を主成分とするリグナン配糖体である。
【化６】
1998279468.tif 000002
【化７】
1998279468.tif 000003
【化８】
1998279468.tif 000004
（３）該リグナン配糖体が、ゴマ種子やその加湿物もしくは発芽体、またはそれらの粉砕物、またはそれらの脱脂物の含水低級アルコール抽出物である。
（４）該抗炎症剤が、グリチルリチン酸、グリチルレチン酸、メフェナム酸、フェニルブタゾン、インドメタシン、イブプロフェン、ケトプロフェン、アラントイン、グアイアズレン、Ｄ−パンテノール及びそれらの誘導体並びにそれらの塩、ε−アミノカプロン酸、酸化亜鉛、ジクロフェナクナトリウム、アロエ抽出物、シコン抽出物、サルビア抽出物、ソウハクヒ抽出物、シソ抽出物、カワラヨモギ抽出物、オランダカラシ抽出物、ガマ抽出物、セイヨウニワトコ抽出物、ヒレハリソウ抽出物、アルニカ抽出物、オウバク抽出物、カミツレ抽出物、シラカバ抽出物、オトギリソウ抽出物、ユーカリ抽出物及びムクロジ抽出物から選ばれる１種または２種以上である。
【手続補正書】
【提出日】平成16年4月1日(2004.4.1)
【手続補正１】
【補正対象書類名】明細書
【補正対象項目名】請求項５
【補正方法】変更
【補正の内容】
【請求項５】
細胞賦活剤が、デオキシリボ核酸及びその塩、アデノシン三リン酸、アデノシン一リン酸などのアデニル酸誘導体及びそれらの塩、リボ核酸及びその塩、グアニン、キサンチン及びそれらの誘導体並びにそれらの塩などの核酸関連物質；血清除蛋白抽出物、脾臓抽出物、胎盤抽出物、鶏冠抽出物、ローヤルゼリーなどの動物由来の抽出物；酵母抽出物、乳酸菌抽出物、ビフィズス菌抽出物、霊芝抽出物などの微生物由来の抽出物；ニンジン抽出物、センブリ抽出物、ローズマリー抽出物、オウバク抽出物、ニンニク抽出物、トウガラシ抽出物、イチョウ抽出物、ヒノキチオール、セファランチン、ブドウ種子油などの植物由来の抽出物；α−又はγ−リノレン酸、エイコサペンタエン酸及びそれらの誘導体、コハク酸及びその誘導体並びにそれらの塩、エストラジオール及びその誘導体並びにそれらの塩、グリコール酸、乳酸、サリチル酸などのα−ヒドロキシ酸及びそれらの誘導体並びにそれらの塩から選ばれる１種または２種以上である請求項１、２、３または４記載の皮膚外用剤。
【手続補正２】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体
（Ｂ）細胞賦活剤及び／または湿潤剤から選ばれる１種又は２種以上
を含有することを特徴とする皮膚外用剤を提供するものである。本発明の好ましい実施態様としては、以下の特徴を有する。
（１）該リグナン配糖体が、下記の構造式（Ｉ）で示されるリグナン配糖体である。
【化５】
1998279463.tif 000001
（２）該リグナン配糖体が、下記の構造式（ＩＩ−ａ）、（ＩＩ−ｂ）もしくは（ＩＩ−ｃ）で示されるリグナン配糖体の１種または２種以上を主成分とするリグナン配糖体である。
【化６】
1998279463.tif 000002
【化７】
1998279463.tif 000003
【化８】
1998279463.tif 000004
（３）該リグナン配糖体が、ゴマ種子やその加湿物もしくは発芽体、またはそれらの粉砕物、またはそれらの脱脂物の含水低級アルコール抽出物である。
（４）該細胞賦活剤が、デオキシリボ核酸及びその塩、アデノシン三リン酸、アデノシン一リン酸などのアデニル酸誘導体及びそれらの塩、リボ核酸及びその塩、グアニン、キサンチン及びそれらの誘導体並びにそれらの塩などの核酸関連物質；血清除蛋白抽出物、脾臓抽出物、胎盤抽出物、鶏冠抽出物、ローヤルゼリーなどの動物由来の抽出物；酵母抽出物、乳酸菌抽出物、ビフィズス菌抽出物、霊芝抽出物などの微生物由来の抽出物；ニンジン抽出物、センブリ抽出物、ローズマリー抽出物、オウバク抽出物、ニンニク抽出物、トウガラシ抽出物、イチョウ抽出物、ヒノキチオール、セファランチン、ブドウ種子油などの植物由来の抽出物；α−又はγ−リノレン酸、エイコサペンタエン酸及びそれらの誘導体、コハク酸及びその誘導体並びにそれらの塩、エストラジオール及びその誘導体並びにそれらの塩、グリコール酸、乳酸、サリチル酸などのα−ヒドロキシ酸及びそれらの誘導体並びにそれらの塩から選ばれる１種または２種以上である。
（５）該湿潤剤がコンドロイチン硫酸、デルマタン硫酸、ヘパラン硫酸、ヘパリン及びケラタン硫酸などのムコ多糖類またはそれらの塩、コラーゲン、ケラチンなどのタンパク質またはそれらの誘導体並びにそれらの塩、ソルビトール、イノシトール、トレハロース、尿素、ピロリドンカルボン酸及びその塩、グリシン及びその塩またはその誘導体、セリン及びその塩またはその誘導体、アルギニン及びその塩またはその誘導体、Ｄ−パンテノール、アロエ抽出物、シコン抽出物、海藻抽出物、マルメロ抽出物、ハマメリス抽出物、カミツレ抽出物、オウゴン抽出物及びアルテア抽出物から選ばれる１種または２種以上である。
【手続補正３】
【補正対象書類名】明細書
【補正対象項目名】００１０
【補正方法】変更
【補正の内容】
【００１０】
（細胞賦活剤）即ち、デオキシリボ核酸及びその塩、アデノシン三リン酸（ＡＴＰ）、アデノシン一リン酸（ＡＭＰ）等のアデニル酸誘導体及びそれらの塩、リボ核酸及びその塩、グアニン、キサンチン及びそれらの誘導体並びにそれらの塩等の核酸関連物質；血清除蛋白抽出物、脾臓抽出物、胎盤抽出物、鶏冠抽出物、ローヤルゼリー等の動物由来の抽出物；酵母抽出物、乳酸菌抽出物、ビフィズス菌抽出物、霊芝抽出物等の微生物由来の抽出物；オタネニンジン抽出物、センブリ抽出物、ローズマリー抽出物、オウバク抽出物、ニンニク抽出物、トウガラシ抽出物、イチョウ抽出物、ヒノキチオール、セファランチン、ブドウ種子油等の植物由来の抽出物；α−又はγ−リノレン酸、エイコサペンタエン酸、及びそれらの誘導体、コハク酸及びその誘導体並びにそれらの塩、エストラジオール及びその誘導体並びにそれらの塩、グリコール酸、乳酸、サリチル酸等のα−ヒドロキシ酸及びそれらの誘導体並びにそれらの塩等が挙げられる。


【手続補正４】
【補正対象書類名】明細書
【補正対象項目名】００２８
【補正方法】変更
【補正の内容】
【００２８】
参考例３  高純度リグナン配糖体精製物の製造
参考例２に記載の方法で得られた粗リグナン配糖体を、ＯＤＳを担体とする分配クロマトグラフィーに供した。ＹＭＣ−ＧＥＬ  ＯＤＳ−Ａ（山村化学（株）製）６０ｇを直径３ｃｍ、長さ５０ｃｍのガラス製カラムに充填して水を流して平衡化した。これに前記粗リグナン配糖体１ｇをカラムの上部に負荷した。水から順次メタノール濃度を増加させる段階溶出法によって、分画成分を溶出させた。３０〜６０％（ｖ／ｖ）メタノールで溶出する画分を集め、減圧濃縮したところ、約１００ｍｇのカラム分画物が得られた。


【手続補正５】
【補正対象書類名】明細書
【補正対象項目名】００４９
【補正方法】変更
【補正の内容】
【００４９】
（製法）
Ａ．成分（１３）の一部を加熱混合し、７０℃に保つ。
Ｂ．成分（１）〜（５）を加熱混合し、７０℃に保つ。
Ｃ．上記Ｂを先のＡに加えて混合し、成分（１０）及び（１２）を加えて均一に乳化し、３０℃まで冷却して、成分（１１）を加え、均一に混合する。
Ｄ．成分（１３）の残分に成分（６）〜（９）を混合し、Ｃに加え、均一に混合し乳液を得る。


【手続補正６】
【補正対象書類名】明細書
【補正対象項目名】００６４
【補正方法】変更
【補正の内容】
【００６４】
（製法）
Ａ．成分（９）、（１０）及び（１３）を混合し、７０℃に加熱する。
Ｂ．成分（１）〜（６）、（８）及び（１２）を混合し、７０℃に加熱する。
Ｃ．上記Ｂを先のＡに加え、しばらく７０℃に保ち、反応が終了後、５０℃まで冷却し、成分（７）及び（１１）を加え、冷却して洗浄料を得た。
【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】
プリンタに取付けるようになっている取外し可能なロールフィード装置であって、媒体のロールを保持するための支持手段を備えており、前記支持手段は前記プリンタの下側に取付けることができることを特徴とする取外し可能なロールフィード装置。
【請求項２】
前記支持手段は、前記支持手段の下部に取付けられた足を備えており、前記ロールフィード装置をプリンタに取付けると前記プリンタを前記ロールフィード装置の上に載せることができることを特徴とする請求項１に記載の取外し可能なロールフィード装置。
【請求項３】
前記支持手段は、第１の細長い部分および第２のハウジング部分を備えており、前記第１の細長い部分は、前記プリンタの下側に取り外し可能に取付けるための手段を有し、前記第２のハウジング部分は、媒体のロールのシャフトの端を保持する手段を備えていることを特徴とする請求項２に記載の取外し可能なロールフィード装置。
【請求項４】
前記支持手段をプリンタに取付けたときに、前記支持手段のハウジング部分は、前記プリンタの前面に突出し、媒体シャフトが前記プリンタの前方かつ下方に保持されることを特徴とする請求項３に記載の取外し可能なロールフィード装置。
【請求項５】
前記支持手段のハウジング部分は、前記媒体シャフトに制動摩擦を加えるための手段を備えていることを特徴とする請求項３に記載の取外し可能なロールフィード装置。
【請求項６】
媒体のロールからプリンタに送られる媒体に印刷するのに適しているプリンタであって、
プリンタを机上に載せることができる足と、プリンタを床に載せることができる脚と、ロールフィード装置とを取付けるための取付け位置を前記プリンタの下側に有していることを特徴とするプリンタ。
【請求項７】
前記取付け位置は、前記足、前記脚、および前記ロールフィード装置を同時にプリンタの下側に取付けることができるように配置されることを特徴とする請求項６に記載のプリンタ。
【請求項８】
前記取付け位置は、前記足の取付け場所がプリンタの中心に最も近く、前記ロールフィード装置の取付け場所がプリンタの中心から最も遠く、前記脚の取付け場所が他の二つの取付け場所の中間にあるように配置されることを特徴とする請求項７に記載のプリンタ。
【請求項９】
ロールフィード装置をプリンタの下側に取付けるための板手段と、前記プリンタに取付けられたプリンタ足と、を備えており、前記プリンタを平面上に設置したときに前記プリンタが前記プリンタ足で支持されるように、前記足は前記板手段の厚さより長くなっていることを特徴とする請求項６に記載のプリンタ。
【請求項１０】
前記板手段は、前記ロールフィード装置の一部をスライドさせて受けるための溝を備えていることを特徴とする請求項９に記載のプリンタ。
【請求項１１】
媒体のロールからプリンタに送られる媒体に印刷するのに適している机上取付け可能プリンタと、前記机上取付け可能プリンタを自立プリンタに変えるためのスタンドと、前記プリンタに取付け可能な取外し可能ロールフィード装置と、を備えている印刷システムであって、
ロールフィード装置が取付けられていない机上取付け可能プリンタ、ロールフィード装置が取付けられている机上取付け可能プリンタ、ロールフィード装置が取付けられていない自立プリンタ、及びロールフィード装置が取付けられている自立プリンタとして構成することができることを特徴とする印刷システム。
【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】
プリンタに取付けるようになっている取外し可能なロールフィード装置であって、各々が媒体シャフトの一端を保持する手段を有する一対のロールフィード支持体を備え、前記ロールフィード支持体は、各々、前記プリンタに独立して取付け可能なことを特徴とする取外し可能なロールフィード装置。
【請求項２】
前記各ロールフィード支持体は、第１の細長い部分および第２のハウジング部分を備え、前記第１の細長い部分は、プリンタに取外し可能に取付けるための手段を有し、前記第２のハウジング部分は、媒体シャフトの端を保持するための手段を備えていることを特徴とする請求項１に記載の取外し可能なロールフィード装置。
【請求項３】
前記各ロールフィード支持体は、スライドさせてプリンタに取付けられることを特徴とする請求項１に記載の取外し可能なロールフィード装置。
【請求項４】
前記プリンタに取外し可能に取付けるための手段は、プリンタの溝にスライドさせて係合する舌を備えており、前記舌は、前記各ロールフィード支持体の前記細長い部分の大部分に沿って延在しており、前記舌と前記溝との構成は、前記ロールフィード支持体をプリンタの操作位置に保持するのに十分であり、前記各ロールフィード支持体を取外し可能に取付けるための手段は更に、前記舌が前記溝の中で滑らないようにロールフィード支持体を固定するための独立した固定手段を備えている請求項２に記載の取外し可能なロールフィード装置。
【請求項５】
前記ロールフィード支持体は、プリンタの下側に取付け可能であることを特徴とする請求項４に記載の取外し可能なロールフィード装置。
【請求項６】
前記各ロールフィード支持体を取外し可能に取付けるための手段は荷重支持部であり、プリンタの重量を部分的に支持することができることを特徴とする請求項５に記載の取外し可能なロールフィード装置。
【請求項７】
前記各ロールフィード支持体の前記ハウジング部分は、前記各ロールフィード支持体の前記細長い部分から略直角に突出しており、前記各ロールフィード支持体は、プリンタに取付けた際に前記各ロールフィード支持体のハウジング部分が互いに向き合うように、見かけ上、他方のロールフィード支持体の概ね鏡像であることを特徴とする請求項２に記載の取外し可能なロールフィード装置。
【請求項８】
机上取付けプリンタにロールフィード装置を取付ける方法であって、
プリンタの一端を持ち上げるステップと、
第１のロールフィード支持体をプリンタの前記一端で係合させ、前記プリンタを下げて前記第１のロールフィード支持体上に載せるステップと、
前記プリンタの他端を持ち上げるステップと、
第２のロールフィード支持体を前記プリンタの他端で係合させ、前記プリンタを下げて前記第１および第２のロールフィード支持体上に載せるステップと、
を含むことを特徴とするロールフィード装置を取付ける方法。
【請求項９】
前記ロールフィード支持体を前記プリンタの各端でスライドさせて係合する請求項８に記載のロールフィード装置を取付ける方法。
【請求項１０】
脚を有する自立プリンタにロールフィード装置を取付ける方法であって、
第１のロールフィード支持体をプリンタの一端の下側にスライドさせて取付けるステップと、
第２のロールフィード支持体を前記プリンタの他端の下側にスライドさせて取付けるステップと、
を備えていることを特徴とするロールフィード装置を取付ける方法。
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
駆動源との間にクラッチ手段を介し搬送方向に回転駆動されてシート材を搬送する第１の搬送手段と、前記第１の搬送手段から駆動力伝達手段を介して伝達される駆動力により、シート材を搬送する第２の搬送手段と、をシート材の搬送経路に備え、
前記駆動力伝達手段は、搬送方向とは逆方向に回転される第１の搬送手段からの逆方向駆動力を遮断する一方向クラッチ手段を備えている
ことを特徴とするシート材搬送装置。
【請求項２】
前記クラッチ手段及び一方向クラッチ手段は前記第１の搬送手段の駆動軸と同軸に配置されている
ことを特徴とする請求項１記載のシート材搬送装置。
【請求項３】
回転駆動される搬送ローラと前記搬送ローラに対向圧接する従動ローラとを有する搬送手段を備え、
前記搬送手段により搬送されるシート材にループを形成させるシート材搬送装置において、
前記搬送ローラ及び従動ローラの少なくとも一方のローラの径寸法を軸方向において、搬送するシート材の中央側よりも端部側を大きく設定した
ことを特徴とする請求項２記載のシート材搬送装置。
【請求項４】
前記搬送手段は、シート材の搬送経路上の搬送方向に略直交する同軸上に複数個配置されている
ことを特徴とする請求項３記載のシート材搬送装置。
【請求項５】
シート材の搬送経路を構成するガイド部材に、つや消し処理を施す
ことを特徴とするシート材搬送装置。
【請求項６】
前記ガイド部材が、黒メッキを施した板金部材である
ことを特徴とする請求項５記載のシート材搬送装置。
【請求項７】
請求項１乃至６のいずれか１項に記載のシート材搬送装置と、
このシート材搬送装置により搬送されるシート材に画像を形成する画像形成手段とを備える
ことを特徴とする画像形成装置。
【手続補正２】
【補正対象書類名】明細書
【補正対象項目名】００３８
【補正方法】変更
【補正の内容】
【００３８】
【課題を解決するための手段】
上記目的を達成するために本発明においては、
駆動源との間にクラッチ手段を介し搬送方向に回転駆動されてシート材を搬送する第１の搬送手段と、前記第１の搬送手段から駆動力伝達手段を介して伝達される駆動力によりシート材を搬送する第２の搬送手段と、をシート材の搬送経路に備え、
前記駆動力伝達手段は、搬送方向とは逆方向に回転される第１の搬送手段からの逆方向駆動力を遮断する一方向クラッチ手段を備えたことを特徴とする。
【手続補正３】
【補正対象書類名】明細書
【補正対象項目名】００３９
【補正方法】変更
【補正の内容】
【００３９】
これにより、ジャム処理時等において、シート材を引き抜く際に、第１及び第２の搬送手段の間における駆動力の伝達は遮断され、シート材の引き抜き力は軽減され、操作性が向上する。
【手続補正４】
【補正対象書類名】明細書
【補正対象項目名】００４０
【補正方法】削除
【補正の内容】
【手続補正５】
【補正対象書類名】明細書
【補正対象項目名】００４１
【補正方法】削除
【補正の内容】
【手続補正６】
【補正対象書類名】明細書
【補正対象項目名】００５１
【補正方法】変更
【補正の内容】
【００５１】
本実施の形態におけるレジストレーション機構では、シート材ｐがレジ前上流ガイド１４ａ及びレジ前下流ガイド１４ｂ全域で接触した状態から、搬送ローラ対としてのレジストローラ装置２のシート材搬送が始まるため、搬送手段としての搬送ローラ装置４のシート材搬送速度がレジストローラ装置２のシート材搬送速度よりも速い場合、搬送ローラ装置４の紙送り精度が、シート材ｐを介してレジストローラ装置２の紙送り精度に影響を与える。
【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
画像形成装置に組み込まれ、画像形成手段で画像形成されたシートを排出するシート排出装置において、
シートを排出するための排出手段と、
装置内を冷却するためのファンと、
を排出ユニットに設け、
該排出ユニットを画像形成装置本体に対して着脱可能に構成したことを特徴とするシート排出装置。
【請求項２】
画像形成装置に組み込まれ、画像形成手段で画像形成されたシートを排出するシート排出装置において、
シートを排出するための排出手段と、
画像形成されたシートを再度前記画像形成手段へ搬送するための再送手段と、
前記再送手段を構成するガイドを冷却するためのガイド冷却ファンと、
を排出ユニットに設け、
該排出ユニットを画像形成装置本体に対して着脱可能に構成したことを特徴とするシート排出装置。
【請求項３】
前記排出ユニットは画像形成装置本体に対して回動可能であることを特徴とする請求項１または２記載のシート排出装置。
【請求項４】
前記ファンは装置内の熱を排熱する排熱ファンであることを特徴とする請求項１記載のシート排出装置。
【請求項５】
前記ガイド冷却ファンは前記ガイドに取り付けられ、前記ガイド冷却ファンと前記ガイドとが一体的に回動可能に前記排出ユニットに設けられていることを特徴とする請求項２記載のシート排出装置。
【請求項６】
シートに画像を形成して排出する画像形成装置において、
シートを給送するシート給送手段と、
給送されたシートに画像を形成する画像形成手段と、
画像形成されたシートを排出するための、請求項１乃至請求項５のいずれか１項記載のシート排出装置と、
を有することを特徴とする画像形成装置。
【手続補正書】
【提出日】平成16年7月2日(2004.7.2)
【手続補正１】
【補正対象書類名】明細書
【補正対象項目名】００２２
【補正方法】変更
【補正の内容】
【００２２】
また、エアゾール内容物の噴出が進行すると、エアゾール容器内のヘッドスペースが大きくなり、内部圧力が低下する。このエアゾール容器内の圧力の低下により、ピストンに対する加圧力も減少する。そのため、押圧発条の付勢力に抗してピストンが流出側に摺動する距離が少なくなり、挿入間隔への調整挿入部の挿入量が少ないものとなる。
【手続補正２】
【補正対象書類名】明細書
【補正対象項目名】００５２
【補正方法】変更
【補正の内容】
【００５２】
すると、内周流通路(２１)と外周流通路(２２)との距離が短くなるから、この内周流通路(２１)と外周流通路(２２)とを流通するエアゾール内容物の受ける流通抵抗は、小さなものとなり、エアゾール内容物の流量を増やす事が可能となる。そして、この流量の増加は、噴射剤の圧力が低下した状態で行われるから、前述の高圧状態で流量を抑制される噴射と比較し、単位時間当たりの流量を、等しいものとする事が可能となる。
【手続補正３】
【補正対象書類名】明細書
【補正対象項目名】符号の説明
【補正方法】変更
【補正の内容】
【符号の説明】
１    バルブ機構
２    ハウジング
３    ステム本体
４    装着部
７    流通路
８    オリフィス
１０    流入口
１１    ピストン
１２    押圧発条
１３    流入側
１４    流出側
１５    調整導入孔
１６    調整挿入部
１７    シリンダー
１８    挿入杆
２０    挿入間隔
２１    内周流通路
２２    外周流通路
２３    外周鍔部
２４    流通孔
【手続補正書】
【提出日】平成17年8月17日(2005.8.17)
【手続補正１】
【補正対象書類名】明細書
【補正対象項目名】特許請求の範囲
【補正方法】変更
【補正の内容】
【特許請求の範囲】
【請求項１】
粉末供給源を備えるホッパから容器を充填するのを援助するための装置において、前記装置は、
前記ホッパに動作自在に結合され、そこから下向きに延在するコンジットを備え、前記コンジットは、その内部で粉末が流れるようにし、
前記コンジットに動作自在に結合され、そこから下向きに延在するノズルを備え、前記ノズルは、前記コンジットから粉末を受けるためのインレットを定め、前記ノズルから前記容器まで粉末を分配するためのアウトレットを定め、前記インレットは、前記粉末の流れに対して垂直なインレット断面積を定め、前記アウトレットは、前記粉末の流れに対して垂直なアウトレット断面積を定め、前記インレット断面積は、前記アウトレット断面積よりも大きく、
前記コンジット内の少なくとも一部に配置され、少なくとも部分的に前記ノズル内部に配置されたオーガを備え、前記オーガは、前記コンジットおよび前記ノズルに密接に適合し、前記コンジットを通って粉末が流れるように援助し、前記粉末の流れが前記ノズルを通過して進むにつれて止まることのないような前記インレット断面積の前記アウトレット断面積に対する割合となるように前記ノズルの寸法が選択され、前記ノズルは、その内面を規定し、前記内面の少なくとも一部は、摩擦係数が０．２５未満である表面を有する物質によって被膜されていることを特徴とする、粉末供給源を備えるホッパから容器を充填するのを援助するための装置。
【請求項２】
粉末供給源を備えるホッパから容器を充填するのを援助するための装置において、前記装置は、
前記ホッパに動作自在に結合され、そこから下向きに延在するコンジットを備え、前記コンジットは、その内部で粉末が流れるようにし、
前記コンジットに動作自在に結合され、そこから下向きに延在するノズルを備え、前記ノズルは、前記コンジットから粉末を受けるためのインレットを定め、前記ノズルから前記容器まで粉末を分配するためのアウトレットを定め、前記インレットは、前記粉末の流れに対して垂直なインレット断面積を定め、前記アウトレットは、前記粉末の流れに対して垂直なアウトレット断面積を定め、前記インレット断面積は、前記アウトレット断面積よりも大きく、
前記コンジット内の少なくとも一部に配置され、少なくとも部分的に前記ノズル内部に配置されたオーガを備え、前記オーガは、前記コンジットおよび前記ノズルに密接に適合し、前記コンジットを通って粉末が流れるように援助し、前記粉末の流れが前記ノズルを通過して進むにつれて止まることのないような前記インレット断面積の前記アウトレット断面積に対する割合となるように前記ノズルの寸法が選択され、
前記ノズルと動作自在に関連して、前記粉末が前記ノズルを出る際にこれを偏向するデフレクタを備えることを特徴とする、粉末供給源を備えるホッパから容器を充填するのを援助するための装置。
【請求項３】
粉末供給源を備えるホッパから容器を充填するのを援助するための装置において、前記装置は、
前記ホッパに動作自在に結合され、そこから下向きに延在するコンジットを備え、前記コンジットは、その内部で粉末が流れるようにし、
前記コンジットに動作自在に結合され、そこから下向きに延在するノズルを備え、前記ノズルは、前記コンジットから粉末を受けるためのインレットを定め、前記ノズルから前記容器まで粉末を分配するためのアウトレットを定め、前記インレットは、前記粉末の流れに対して垂直なインレット断面積を定め、前記アウトレットは、前記粉末の流れに対して垂直なアウトレット断面積を定め、前記インレット断面積は、前記アウトレット断面積よりも大きく、前記ノズルの少なくとも一部は、中空で実質的に切頭形状を有し、前記切頭形状部分は、これにキャビティを規定し、
前記コンジット内の少なくとも一部に配置され、少なくとも部分的に前記ノズル内部に配置されたオーガを備え、前記オーガは、前記コンジットおよび前記ノズルに密接に適合し、前記コンジットを通って粉末が流れるように援助し、前記粉末の流れが前記ノズルを通過して進むにつれて止まることのないような前記インレット断面積の前記アウトレット断面積に対する割合となるように前記ノズルの寸法が選択され、前記オーガは前記キャビティから間隔をあけていることを特徴とする、粉末供給源を備えるホッパから容器を充填するのを援助するための装置。
【請求項４】
粉末供給源を備えるホッパから容器を充填するのを援助するための装置において、前記装置は、
前記ホッパに動作自在に結合され、そこから下向きに延在するコンジットを備え、前記コンジットは、その内部で粉末が流れるようにし、
前記コンジットに動作自在に結合され、そこから下向きに延在するノズルを備え、前記ノズルは、前記コンジットから粉末を受けるためのインレットを定め、前記ノズルから前記容器まで粉末を分配するためのアウトレットを定め、前記インレットは、前記粉末の流れに対して垂直なインレット断面積を定め、前記アウトレットは、前記粉末の流れに対して垂直なアウトレット断面積を定め、前記インレット断面積は、前記アウトレット断面積よりも大きく、
前記コンジット内の少なくとも一部に配置され、少なくとも部分的に前記ノズル内部に配置されたオーガを備え、前記オーガは、前記コンジットおよび前記ノズルに密接に適合し、前記コンジットを通って粉末が流れるように援助し、前記粉末の流れが前記ノズルを通過して進むにつれて止まることのないような前記インレット断面積の前記アウトレット断面積に対する割合となるように前記ノズルの寸法が選択され、前記オーガは、前記コンジットから約０．１２７ｃｍ（０．０５インチ）間隔をあけていることを特徴とする、粉末供給源を備えるホッパから容器を充填するのを援助するための装置。
【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】
媒体ガイドが噛み合わされたときに前記媒体ガイドを一方向に摺動することができるが、逆方向に摺動するのを防ぐ解除可能なロック機構を有し、前記ロック機構が複数の爪と、等間隔で離隔された斜面形状の歯を備えた少なくとも１つのラチェット・ラックとを有し、垂直端をそれぞれ有し、前記爪がそれぞれ関連した、単一ラックの複数の歯を有し、その関連した複数の歯のそれぞれの垂直端と順次噛み合うようになっており、それぞれの爪とその関連した複数の歯のそれぞれの垂直端との噛み合いが、他のそれぞれの爪とその関連した複数の歯のそれぞれの垂直端との噛み合いに対して位相がずれており、摺動式に取り付けられた前記媒体ガイドを備える、広範囲の媒体サイズに適用可能な媒体供給トレイ。
【請求項２】
トレイに固定的に取り付けられ、等間隔に離隔された複数の歯を有する線形のラチェット・ラックと、
それぞれ互いにオフセットされた爪であって、当該オフセットの大きさは前記ラチェット・ラックの２つの隣り合った歯の間の距離よりも小さく、前記トレイに摺動的に取り付けられ、前記ラチェット・ラックの歯と噛み合うように適合された複数の爪と、
前記爪のそれぞれを前記歯から同時に解除する手段と
を備える媒体供給トレイ。
【請求項３】
等間隔に離隔された複数の歯をそれぞれ有するラチェット・ラックであって、それぞれのラックの歯が他のラックの歯からオフセットされ、オフセットの量がそれぞれのラックの隣り合った２つの歯の間の距離よりも小さい、トレイに固定的に取り付けられた複数のラチェット・ラックと、
前記トレイに摺動的に取り付けられ、複数の爪を有し、前記爪はそれぞれ、単一のラチェット・ラックの歯と噛み合うように適合されている媒体ガイドと、
前記歯から前記爪のそれぞれを同時に解放する手段と
を備える媒体供給トレイ。
【請求項４】
前記媒体ガイドと前記トレイとが、前記トレイ上の媒体ガイドの拘束摺動運動を提供する勘合レールおよびトラックを備えている請求項１〜３に記載の媒体供給トレイ。
【請求項５】
単一のラチェット・ラックがそれぞれ互いにオフセットされた複数の爪によって噛み合わされる請求項１〜３のいずれかに記載の媒体供給トレイ。
【請求項６】
複数のラチェット・ラックがそれぞれ、単一の関連した爪によって噛み合わされ、各ラックの歯は他のラックの歯からオフセットされ、前記爪のそれぞれの間にオフセットがない請求項１〜３のいずれかに記載の媒体供給トレイ。
【請求項７】
前記媒体ガイドに対して旋回可能かつばねにより押圧されて取り付けられ、ばね力にうち勝つように旋回されたときに前記ラチェット・ラックから前記爪のそれぞれを解除するガイド・ロックであって、
前記爪がそれぞれ固定的に取り付けられたガイド・ロックをさらに備える請求項１〜３のいずれかに記載の媒体供給トレイ。
【請求項８】
前記爪がそれぞれ、前記媒体ガイドに対して、独立して旋回でき、ばね付勢されて取り付けられ、前記爪がそれぞれ、前記ラチェット・ラックから離れるように旋回式に回転したときに前記ラチェット・ラックの歯から解除される請求項１〜３のいずれかに記載の媒体供給トレイ。
【手続補正書】
【提出日】平成16年9月9日(2004.9.9)
【手続補正１】
【補正対象書類名】明細書
【補正対象項目名】００２４
【補正方法】変更
【補正の内容】
【００２４】
【実施例２】
この実施例では、マウスＩＬ−１８ｃＤＮＡをリポゾームとの包埋体の形で、ルイス肺癌細胞に遺伝子導入した。
前記実施例１で調製したプラスミドＤＮＡを制限酸素ＨｉｎｄＩＩＩ及びＢｓｔＸＩで切断し、動物細胞発現用ベクターｐＲＣ／ＣＭＶ（Ｉｎｖｉｔｒｏｇｅｎ  Ｃｏｒｐ．，サンディエゴ，カリフォルニア州，米国）のＨｉｎｄＩＩＩ−ＢｓｔＸＩ部位へ常法に従って挿入した後、大腸菌ＨＢ１０１株（宝酒造，京都，日本）に導入し、ＩＬ−１８発現プラスミドＤＮＡを調製した。
皿（直径＝１０ｃｍ）の中でルイス肺癌細胞（ＬＬＨ）（ＡＴＣＣ  ＣＲＬ  １６４２）を、１０％ウシ胎児血清（ＦＣＳ）（ＧＩＢＣＯ  ＢＲＬ社，ゲイザーズバーグ，メリーランド州，米国）を含むＲＰＭＩ１６４０培地（ＧＩＢＣＯ  ＢＲＬ社，ゲイザーズバーグ，メリーランド州，米国）で一晩培養した後、Ｏｐｔｉ−ＭＥＭ（ＧＩＢＣＯ  ＢＲＬ社，ゲイザーズバーグ，メリーランド州，米国）で５回洗浄して、最終的にＯｐｔｉ−ＭＥＭを５ｍｌ入れた。
【手続補正２】
【補正対象書類名】明細書
【補正対象項目名】００２６
【補正方法】変更
【補正の内容】
【００２６】
【実施例３】
この実施例では、ＩＬ−１８導入−ルイス肺癌細胞株（ＬＬＨ／ＩＬ−１８）をマウスに移植して、抗腫瘍活性を調べた。
前記実施例２で選択したＩＬ−１８導入−ルイス肺癌細胞株（ＬＬＨ／ＩＬ−１８）を、更に１０％ＦＣＳ含有ＲＰＭＩ１６４０培地にて培養し続けた後、Ｃ５７ＢＬ／６マウス（８週令，雄性）９匹の右側腹部に１×１０６  個ずつの量で皮下移植した〔以下、ＩＬ−１８群と称する〕。
コントロールとして、動物細胞発現用ベクターｐＲＣ／ＣＭＶのみを導入したルイス肺癌細胞も、同様に、１×１０６  個ずつの量で皮下移植した〔以下、コントロール群と称する〕。
移植後４日目までは、コントロール群及びＩＬ−１８群の両方とも、腫瘍の生着が認められなかった。移植後７日目及び移植後１１日目に、腫瘍径を計測し、推定腫瘍重量を式：
Ｌ×（Ｗ）２  ／２
（式中、Ｌは腫瘍の長さであり、Ｗは腫瘍の幅である）
によって算出した。結果は以下の表１に示すとおりである。
【表１】
７日目の推定腫瘍重量    １１日目の推定腫瘍重量
コントロール群    ０．２５±０．１４ｇ    １．０３±０．４９ｇ
ＩＬ−１８群      ０．０８±０．０２ｇ    ０．２０±０．１０ｇ
【手続補正書】
【提出日】平成16年10月21日(2004.10.21)
【手続補正１】
【補正対象書類名】明細書
【補正対象項目名】００４０
【補正方法】変更
【補正の内容】
【００４０】
試練例２
上記実施例１及び１０で作製したリポソーム液の、製造直後及び３０℃１年保存後の平均粒子径及びその標準偏差を以下の表に示す。
【手続補正２】
【補正対象書類名】明細書
【補正対象項目名】００４１
【補正方法】変更
【補正の内容】
【００４１】
【表３】
1999139961.tif 000001
【手続補正書】
【提出日】平成17年1月19日(2005.1.19)
【手続補正１】
【補正対象書類名】明細書
【補正対象項目名】００５７
【補正方法】変更
【補正の内容】
【００５７】
さらに、ブロムワレリル尿素との併用において、単独投与に比し、抑制率の増加が見られ、軽度の相乗効果が認められた（表５）。
【手続補正２】
【補正対象書類名】明細書
【補正対象項目名】００６７
【補正方法】変更
【補正の内容】
【００６７】
対照群の平均発熱温に対する各組成物の抑制率を算出し、このデータを用いて、表６に示すように、ＩＤ50値を算出した。
【手続補正３】
【補正対象書類名】明細書
【補正対象項目名】００７３
【補正方法】変更
【補正の内容】
【００７３】
【表８】
1999139971.tif 000001
ロキソプロフェンナトリウム・２水和物との配合剤において、上記のように、アセトアミノフェン及びエテンザミドとの併用で約２倍の作用の増強が認められた（表６）。また、アリルイソプロピルアセチル尿素及び無水カフェインとの併用でも作用の増強が認められた。
【手続補正４】
【補正対象書類名】明細書
【補正対象項目名】００７４
【補正方法】変更
【補正の内容】
【００７４】
さらに、アリルイソプロピルアセチル尿素及びブロムワレリル尿素との併用において、単独投与に比し、顕著な抑制率の増加が見られ、相乗効果が認められた。エテンザミドについても、軽度の相乗効果が認められた（表８）。
【手続補正書】
【提出日】平成16年4月6日(2004.4.6)
【手続補正１】
【補正対象書類名】明細書
【補正対象項目名】００２７
【補正方法】変更
【補正の内容】
【００２７】
また、図１のように、ローラトレイ１の上昇が前中後と区分して操作可能な場合には、後段のローラコンベア１と連動する空圧シリンダー４２とするだけでよい。扉３２に近い貨物が床面に載置されていると、扉３２を開いても貨物３５は落下しないからである。また、観音開きの扉であっても、両方の扉を閉じないとロックできなため、空圧シリンダ４２は左右列のローラコンベア１のどちらかに設ければよい。


【手続補正２】
【補正対象書類名】明細書
【補正対象項目名】００２９
【補正方法】変更
【補正の内容】
【００２９】
また、扉閉阻止手段は流体圧シリンダーによる突出手段が好適であるが、スイッチボックス１２のスイッチ操作と電気的に連動する電動シリンダー又は電磁進退機構等の電気的な突出手段を用いることもできる。また扉に対する流体圧シリンダー等の突出手段に限らず、扉の開閉軌跡内に進退自在なストッパー機構であれば採用可能である。
【手続補正書】
【提出日】平成16年10月4日(2004.10.4)
【手続補正１】
【補正対象書類名】明細書
【補正対象項目名】００２０
【補正方法】変更
【補正の内容】
【００２０】
次に、本発明の空気入りタイヤの構造について具体的に説明する。
図１に示す本発明の空気入りタイヤの好適例では、トレッド部が、接地部にシリカリッチのキャップゴム層１と、その半径方向下方にシリカ配合系のゴムからなるベースゴム層２とからなり、トレッド部の両ウイングにミニサイドゴム層４を備える。このキャップゴム層１は、シリカリッチとすることにより固有抵抗値は１０8Ω・ｃｍ以上となる。また、ベースゴム層２は、湿潤路面での運動性能と低燃費性能とを高い水準で両立させるため、やはり同様にシリカ配合系のゴムが用いられている。かかるトレッド部は、キャップゴム層１からベースゴム層２に至るまでタイヤ幅方向に２分割され、この分割部に導電性ゴム層３が周方向に屈折して配置され、これによりタイヤ横断面における導電性ゴム層の断面積Ａとシリカリッチゴム層の断面積Ｂとの比（Ａ／Ｂ）が０．０２〜０．１０の範囲内に納まるようにしてある。この比が０．０２未満であると押出し生産性の改善効果が期待できず、一方０．１０を超えると、シリカ配合系のトレッドの特徴であるタイヤの運動性能と低燃費性能とを高い水準で両立させることが困難となる。
【手続補正書】
【提出日】平成16年9月28日(2004.9.28)
【手続補正１】
【補正対象書類名】明細書
【補正対象項目名】００１５
【補正方法】変更
【補正の内容】
【００１５】
28，28は伸長用ワイヤロ−プ９の両索端部と縮小用ワイヤロ−プ10の両索端部を止着する左右の索端固定具であり、先端側ブ−ム３の基端部3aにおける上板3uの左右両側部に互いに離間した状態に配設されている（図２参照）。当該索端固定具28，28は、ボルト挿通穴29を穿設した伸長用の索端固定部材28a と縮小用の索端固定部材28b 、及び当該両索端固定部材28a ，28b を連結する左右の連結部材28c ，28c とで構成されており、前記伸長用の索端固定部材28a のボルト挿通穴29に伸長用ワイヤロ−プ９の両索端部9aに固設した索端固定ボルト30を挿通してナット31で締結することで伸長用ワイヤロ−プ９の両索端部9aを止着し、縮小用の索端固定部材28b のボルト挿通穴29に縮小用ワイヤロ−プ10の両索端部10aに固設した索端固定ボルト32を挿通してナット31で締結することで縮小用ワイヤロ−プ10の両索端部10a を止着するようになっている。
【手続補正２】
【補正対象書類名】明細書
【補正対象項目名】００１７
【補正方法】変更
【補正の内容】
【００１７】
９は伸長用ワイヤロ−プであり、その中間部を２つ折りにして、当該中間２つ折り部9bを前記シリンダチュ−ブ19b先端部ｂのブラケット24に配設したワイヤ折り返し具22に掛止して先端側ブ−ム３の先端側に引き出した後に、前記伸長用シ−ブ６にＵ字状に掛け回して先端側ブ−ム３の基端側に案内し、その両索端部9aに固設した索端固定ボルト30を前記索端固定部材28a のボルト挿通穴29に挿通してナット31で締結することで、連結部材を構成するシリンダチュ−ブ19b 先端部のブラケット24と先端側ブ−ム３の基端部3a間に張設するようになっている。
【手続補正３】
【補正対象書類名】明細書
【補正対象項目名】００１８
【補正方法】変更
【補正の内容】
【００１８】
10は縮小用ワイヤロ−プであり、その中間部を２つ折りにして、当該中間２つ折り部10b を前記シリンダチュ−ブ19b先端部ｂのブラケット24に配設したワイヤ折り返し具23に掛止して先端側ブ−ム３の基端側に引き出した後に、前記縮小用シ−ブ７にＵ字状に掛け回して先端側ブ−ム３の先端側に案内し、その両索端部10a に固設した索端固定ボルト32を前記索端固定部材28b のボルト挿通穴29に挿通してナット31で締結することで、シリンダチュ−ブ19b 先端部のブラケット24と先端側ブ−ム３の基端部3a間に張設するようになっている。